(57)【要約】【課題】従来よりもさらに薄型化されたディスク保持機構及びそれを備えたディスク装置を提供することを目的とする。【解決手段】光ディスク保持機構１１は、円盤形状のディスクテーブル１３と、クランパトップ１４とから構成される。クランパトップ１４は、光ディスク１２の装着孔を貫通する円柱形状のクランパベース２１と、光ディスク１２を保持する可動部材２２とから構成される。クランパベース２１は、ディスクテーブル１３の上面中央に一体として設けられており、外縁に開口部を有した半径方向に延びる複数のガイド溝を形成している。可動部材２２は、ガイド溝それぞれにコイルばね２３を介して取り付けられている。ディスクテーブル１３は、可動部材２２と周方向に交互になる位置に板ばね２４を形成する。板ばね２４は、クランパベース２１側の一端が固定され、径方向外側の他端が自由端となっており、光ディスク１２の装脱方向へ撓むようになっている。【選択図】図１
2007250077.tif 000002
【特許請求の範囲】
【請求項１】
装着されるディスクの一方の面を情報記録領域よりも内側で受けるディスクテーブルと、このディスクテーブルと一体に回転し、前記ディスクの中央部に形成された装着孔に係合して前記ディスクを面内方向で位置決めして保持するクランパトップとを備えたディスク保持機構において、
前記ディスクテーブルに組み付けられ、装着された前記ディスクの前記一方の面を押圧して前記ディスクテーブルから浮き上がる方向に前記ディスクを付勢する付勢手段と、
前記クランパトップに移動自在に設けられ、前記ディスクの装着時には退避方向に移動して前記装着孔を通過してから前記ディスクの他方の面を押さえる係止位置に突出し、前記ディスクの装着完了時には前記付勢手段で押圧された前記ディスクを受け止めて面外方向で位置決めするチャッキング部材とを備えたことを特徴とするディスク保持機構。
【請求項２】
前記付勢手段は、一端が前記ディスクテーブルに固定され他端が自由端となった板ばねと、この板ばねの他端に固定され前記板ばねの付勢力により前記ディスクの前記一方の面に接触してこれを押圧する押圧片とからなることを特徴とする請求項１記載のディスク保持機構。
【請求項３】
前記クランパトップは、前記ディスクの装着孔を貫通するクランパベースと、このクランパベースに半径方向に移動自在に組み込まれ、前記ディスクの装着孔内周部に圧着して前記ディスクを保持する保持位置に向けて付勢された可動部材とからなることを特徴とする請求項１または請求項２記載のディスク保持機構。
【請求項４】
前記チャッキング部材が前記可動部材と一体に設けられていることを特徴とする請求項３記載のディスク保持機構。
【請求項５】
請求項１ないし請求項４いずれか記載のディスク保持機構を備えたディスク装置。
【発明の詳細な説明】
【技術分野】
【０００１】
本発明は、ディスクテーブルに載置されるディスクを保持するディスク保持機構及びそれを備えたディスク装置に関する。
【背景技術】
【０００２】
ＣＤ−ＲやＤＶＤなどの光ディスクは、高速回転させることでそれらへの情報の記録及びそれらに記録された情報の再生ができる。これらの光ディスクに対する情報の記録及び再生に用いる光ディスク装置には、光ディスクを回転させるロータが設けられ、このロータには、光ディスクを保持する光ディスク保持機構が設けられている。近年、例えばカーオーディオに代表されるように光ディスク装置には、スロットローディング式のものが広く普及している。このスロットローディング式の光ディスク装置は、挿入口から光ディスクを直接径方向に差し込むので、光ディスク保持機構を上下に移動させて光ディスクが円滑に挿入できるようになっている。よって、光ディスク装置の小型化の進む近年において、光ディスク保持機構の上下動の幅を小さくするためにも光ディスク保持機構の薄型化が必須課題となっている。
【０００３】
図９に示すような、光ディスク１０１を確実に保持する光ディスク保持機構１０２が従来から知られている（例えば、特許文献１参照）。この光ディスク保持機構１０２は、光ディスク１０１の一方の面を情報記録領域１０１ａより内側の非情報記録領域１０１ｂで受けるディスクテーブル１０３と、このディスクテーブル１０３と一体に回転し、光ディスク１０１の中央部に形成された装着孔１０１ｃに係合して光ディスク１０１を面内方向で位置決めして保持するクランパトップ１０４とから構成される。ディスクテーブル１０３の上面には、光ディスク１０１が装着されたときに光ディスク１０１のずれを防止する摩擦部材１０３ａが固着されている。クランパトップ１０４は、光ディスク１０１の装着孔１０１ｃを貫通する円柱形状のクランパベース１０５と、光ディスク１０１を保持する可動部材１０６とから構成される。クランパベース１０５は、ディスクテーブル１０３上に一体として設けられており、外縁に開口部を有した半径方向に延びる複数のガイド溝（図示せず）を形成している。可動部材１０６は、複数のガイド溝それぞれにコイルばね１０７を介して取り付けられ、半径方向にスライドできるようになっており、先端１０６ａがクランパベース１０５の外縁から出入自在となっている。なお、コイルばね１０７の自然長状態においては、図９（ａ）に示すように、可動部材１０６の先端１０６ａはクランパベース１０５の外縁から突出した状態にある。また、可動部材１０６は上面１０６ｂが傾斜しており、光ディスク１０１を装着する際に装着孔１０１ｃを誘導することができる。さらに可動部材１０６は、光ディスク１０１の装着孔１０１ｃの内周部１０１ｄに圧着する保持面１０６ｃが下方に向けて傾斜しているので、コイルばね１０７の付勢力によって光ディスク１０１を面内方向に保持するだけでなく、面外方向にも保持することができるようになっている。
【０００４】
光ディスク１０１の装着孔１０１ｃがクランパトップ１０４の上方となるよう光ディスク１０１を配して、光ディスク１０１を下方に移動させてクランパトップ１０４に装着させる。先ず、可動部材１０６の先端１０６ａがクランパベース１０５の外縁から突出しているので、光ディスク１０１の装着孔１０１ｃの内周部１０１ｄ下端が可動部材１０６の上面１０６ｂと接触することとなる（図７（ａ））。可動部材１０６の上面１０６ｂは傾斜しており、上面１０６ｂに対して下方へ加わる力は半径方向への力に変換される。よって、このまま光ディスク１０１を下方に移動させると、可動部材１０６は半径方向内側に移動し、コイルばね１０７を縮める。そして、光ディスク１０１は、コイルばね１０７によって付勢された可動部材１０６の先端１０６ａを内周部１０１ｄに沿わせるようにして下方に移動する（図９（ｂ））。さらに光ディスク１０１を下方へ移動させると、可動部材１０６の先端１０６ａが光ディスク１０１の内周部１０１ｄを乗り越えることとなり、光ディスク１０１はディスクテーブル１０３の上面に固着された摩擦部材１０３ａに接触することとなる（図９（ｃ））。この時、光ディスク１０１は、コイルばね１０７によって付勢された可動部材１０６の保持面１０６ｃによって内周部１０１ｄ上端が半径方向に押圧されて面内方向に保持されているとともに、可動部材１０６の保持面１０６ｃが下方に向けて傾斜していることから可動部材１０６によって面外方向にも保持されている。光ディスク１０１は、面内方向及び面外方向に保持されることによって回転させることができ、情報の記録及び再生が可能な状態となる。
【特許文献１】特開２００２−２０８２０２号公報
【発明の開示】
【発明が解決しようとする課題】
【０００５】
しかしながら、特許文献１の光ディスク保持機構１０２では、光ディスク保持機構１０２を一定の高さ以下にすると、図１０に示すように可動部材１０６は、光ディスク１０１の装着孔１０１ｃの内周部１０１ｄを下方に向けて傾斜している保持面１０６ｃによって押圧することができず、光ディスク１０１を面外方向に保持することができない。光ディスク保持機構の更なる薄型化のため、新たな方法が検討されていた。
【０００６】
本発明は、光ディスク装置の小型化に対応するために、従来よりもさらに薄型化されたディスク保持機構及びそれを備えたディスク装置を提供することを目的とする。
【課題を解決するための手段】
【０００７】
上記目的を達成するために、本発明のディスク保持機構は、装着されるディスクの一方の面を情報記録領域よりも内側で受けるディスクテーブルと、このディスクテーブルと一体に回転し、ディスクの中央部に形成された装着孔に係合してディスクを面内方向で位置決めして保持するクランパトップとを備えたディスク保持機構であって、ディスクテーブルに組み付けられ、装着されたディスクの一方の面を押圧してディスクテーブルから浮き上がる方向にディスクを付勢する付勢手段と、クランパトップに移動自在に設けられ、ディスクの装着時には退避方向に移動して装着孔を通過してからディスクの他方の面を押さえる係止位置に突出し、ディスクの装着完了時には付勢手段で押圧されたディスクを受け止めて面外方向で位置決めするチャッキング部材とを備えたことを特徴とする。
【０００８】
なお、付勢手段は、一端がディスクテーブルに固定され他端が自由端となった板ばねと、この板ばねの他端に固定され板ばねの付勢力によりディスクの一方の面に接触してこれを押圧する押圧片とからなることが好ましい。
【０００９】
また、クランパトップは、ディスクの装着孔を貫通するクランパベースと、このクランパベースに半径方向に移動自在に組み込まれ、ディスクの装着孔内周部に圧着してディスクを保持する保持位置に向けて付勢された可動部材とからなることが好ましい。
【００１０】
さらに、チャッキング部材が可動部材と一体に設けられていることが好ましい。
【発明の効果】
【００１１】
本発明のディスク保持機構によれば、ディスクテーブルに組み付けられ、装着されたディスクの一方の面を押圧してディスクテーブルから浮き上がる方向にディスクを付勢する付勢手段と、クランパトップに移動自在に設けられ、ディスクの装着時には退避方向に移動して装着孔を通過してからディスクの他方の面を押さえる係止位置に突出し、ディスクの装着完了時には付勢手段で押圧されたディスクを受け止めて面外方向で位置決めするチャッキング部材とを備えたことより、更なる薄型化が可能となった。
【００１２】
また、付勢手段は、一端がディスクテーブルに固定され他端が自由端となった板ばねと、この板ばねの他端に固定され板ばねの付勢力によりディスクの一方の面に接触してこれを押圧する押圧片とからなることより、簡単な構造によってディスクを面外方向に保持することができる。
【００１３】
さらに、クランパトップは、ディスクの装着孔を貫通するクランパベースと、このクランパベースに半径方向に移動自在に組み込まれ、ディスクの装着孔内周部に圧着してディスクを保持する保持位置に向けて付勢された可動部材とからなることより、ディスクを面内方向に保持することができる。
【００１４】
チャッキング部材が可動部材と一体に設けられていることより、部品点数は少なくて良く、構造が簡略化できる。
【発明を実施するための最良の形態】
【００１５】
以下、本発明の光ディスク保持機構１１について、スロットローディング式の光ディスク装置の場合を例に図面を参照しながら説明する。図１に示すように、光ディスク保持機構１１は、光ディスク１２の一方の面を情報記録領域１２ａより内側の非情報記録領域１２ｂで受ける円盤形状のディスクテーブル１３と、光ディスク１２の中央部に形成された装着孔１２ｃ（図３参照）に係合して光ディスク１２を面内方向で位置決めして保持するクランパトップ１４とから構成される。ディスクテーブル１３は、昇降ベース１５に垂直に設けられた回転軸１６を中心に回転自在に設けられている。昇降ベース１５には回転軸１６の周囲にステータ１７が設けられ、ディスクテーブル１３の内側にはマグネット１８が取り付けられている。これらステータ１７とマグネット１８とは、モータ１９として機能して、光ディスク保持機構１１を回転させる。昇降ベース１５は、後述する動力変換部材２０（図２参照）によって上下方向に移動する。
【００１６】
クランパトップ１４は、光ディスク１２の装着孔１２ｃを貫通する円柱形状のクランパベース２１と、光ディスク１２を保持する可動部材（チャッキング部材）２２とから構成される。クランパベース２１は、ディスクテーブル１３の上面中央に一体として設けられており、外縁に開口部を有した半径方向に延びる複数のガイド溝（図示せず）を形成している。可動部材２２は、複数のガイド溝それぞれにコイルばね２３を介して取り付けられ、コイルばね２３が光ディスク１２の装脱方向に「へ」字状に撓曲することで、斜倒自在になっている。可動部材２２がその下方に形成された突起２２ａを支点として斜倒することによって、光ディスク１２を装着する際に装着孔１２ｃを誘導することができる。また、可動部材２２は、半径方向にスライドできるようになっており、径方向外側の外周面２２ｂの上方に形成される保持爪２２ｃがクランパベース２１の外縁から出入自在となっている。なお、光ディスク１２の装脱時以外の状態においては、図１に示すように、可動部材２２の保持爪２２ｃはクランパベース２１の外縁から突出した状態にある。なお、複数のガイド溝は、可動部材２２が周方向に均一に配されるように形成されている。
【００１７】
ディスクテーブル１３は、可動部材２２と周方向に交互になる位置に板ばね２４を形成する。板ばね２４は、クランパベース２１側の一端が固定され、径方向外側の他端が自由端となっており、光ディスク１２の装脱方向へ撓むようになっている。なお、板ばね２４が撓むことによって発生する付勢力は、コイルばね２３が「へ」字状に撓曲することによって発生する可動部材２２に対する付勢力より十分大きくなっている。これにより、光ディスク１２の装着が完了した時に、板ばね２４が下方に撓んだままになることはない。板ばね２４上面の自由端寄りには、光ディスク１２が装着されたときに光ディスク１２のずれを防止する摩擦シート（押圧片）２５が固着されている。
【００１８】
光ディスク１２が挿入される隙間２６は、薄い金属性の板で形成された下面プレート２７と上面プレート２８との間に形成される。隙間２６には、光ディスク１２を挿入する挿入口２９（図８参照）近傍に光ディスク１２を搬送する搬送ローラ３０（図８参照）が設けられている。下面プレート２７には、ディスクテーブル１３より径が一回り大きい円形状の開口２７ａが形成され、光ディスク保持機構１１は隙間２６内に出入りすることができる。上面プレート２８は、光ディスク１２の非情報記録領域１２ａより径が一回り小さい円形状の領域がディスク押圧部２８ａとして隙間２６側に飛び出している。なお、ディスク押圧部２８ａは開口２７ａの上方に形成されている。また、上面プレート２８には、ディスク押圧部２８ａの中央にクランパトップ１４より一回り大きな円形状の開口２８ｂが形成されている。これにより、光ディスク保持機構１１が隙間２６内を上方に移動すると、クランパトップ１４は開口２８ｂに挿通してディスク押圧部２８ａに当接せずに、光ディスク１２の非情報記録領域１２ａがディスク押圧部２８ａに押圧される。
【００１９】
昇降ベース１５には、図２に示すように、側面にピン３１が取り付けられている。このピン３１は、動力変換部材２０のスライド溝２０ａにスライド自在に係合する。動力変換部材２０は、「へ」字型のスライド溝２０ａを形成したプレートであり、モータ（図示せず）によって昇降ベース１５の側面に沿って左右方向（Ａ方向及びＢ方向）にスライド移動する。動力変換部材２０がスライド移動することで、ピン３１はスライド溝２０ａ内を案内され、ピン３１が取り付けられた昇降ベース１５は上下方向に移動する。具体的には、図２（ａ）に示す、クランパトップ１４の上面が下面プレート２７の上面と高さと一致するディスク非装着位置から、動力変換部材２０をＢ方向にスライド移動させると、昇降ベース１５は上方へ移動し、図２（ｂ）に示す、クランパトップ１４が上面プレート２８の上方へ飛び出したディスク押圧位置に達する。さらに動力変換部材２０をＢ方向にスライド移動させると、昇降ベース１５は下方へ移動し、図２（ｃ）に示す、クランパトップ１４が隙間２６内に収まったディスク読み取り位置に達する。
【００２０】
逆に、図２（ｃ）に示す、ディスク読み取り位置から、動力変換部材２０をＡ方向にスライド移動させると、昇降ベース１５は上方へ移動し、図２（ｂ）に示す、ディスク押圧位置に達する。さらに動力変換部材２０をＡ方向にスライド移動させると、昇降ベース１５は下方へ移動し、図２（ａ）に示す、ディスク非装着位置に達する。
【００２１】
また、昇降ベース１５には、上下方向に貫通する案内孔１５ａ（図１参照）が形成され、案内孔１５ａはクランプ解除ピン３２を挿通させる。クランプ解除ピン３２は、光ディスク装置３６の筐体３７（図８参照）内部に固定され、その先端は開口２７ａを通して隙間２６内へ飛び出している。図２（ｂ）に示す、ディスク押圧位置から昇降ベース１５が下方へ移動すると、光ディスク保持機構１１が光ディスク１２を保持している場合、クランプ解除ピン３２は光ディスク１２の非情報記録領域１２ｂを上方に押圧し、光ディスク１２の保持を解除する。
【００２２】
以下、上記構成の光ディスク保持機構１１の作用について説明する。光ディスク１２に対して情報の記録又は再生をするときには、先ず、光ディスク１２を挿入口２９へ所定量（例えば、１〜２ｃｍ）挿入する。光ディスク１２が挿入されると、搬送ローラ３０は光ディスク１２に接する方向に移動し、そして回転する。これにより、光ディスク１２は挿入口２９から隙間２６内へと自動的に吸い込まれる。搬送ローラ３０は、光ディスク１２の挿入穴１２ｃがクランパトップ１４の上方に位置した時点で回転を停止する。なお、この時、クランパトップ１４の上面が下側プレート２７の上面と高さが一致している（図３（ａ））。
【００２３】
モータの駆動によって動力変換部材２０はＢ方向にスライド移動し（図２参照）、昇降ベース１５に設けられた光ディスク保持機構１１は上方へ移動する。可動部材２２に形成された保持爪２２ｃは、クランパベース２１の径方向外側に飛び出しており、間もなく光ディスク１２の内周部１２ｄ下端と当接する。この時、搬送ローラ３０が光ディスク１２から退避する方向へ移動する。そして、光ディスク１２は光ディスク保持機構１１の上方への移動によってそのまま持ち上げられ、非情報記録領域１２ｂの上面が上面プレート２８のディスク押圧部２８ａと当接する（図３（ｂ））。
【００２４】
さらに光ディスク保持機構１１が上方へ移動すると、相対的に見ると可動部材２２は光ディスク１２の内周部１２ｄの下端によって下方に押圧される。コイルばね２３を介してクランパベース２１のガイド溝に取り付けられた可動部材２２は突起２２ａを支点として下方に斜倒し、可動部材２２の下端はガイド溝の下面と当接する（図３（ｃ））。この時、可動部材２２の斜倒により、コイルばね２３は「へ」字状に撓曲する。
【００２５】
可動部材２２は、ガイド溝の下面との当接により、これ以上斜倒することができない。しかし、可動部材２２が斜倒した結果、保持爪２２ｃは光ディスク１２に対して斜めに接触しているので、可動部材２２への下方への押圧力はガイド溝方向へと変換される。よって、さらに光ディスク保持機構１１が上方への移動を続けると、可動部材２２は、光ディスク１２の内周部１２ｄの下端によってガイド溝方向に押圧され、ガイド溝を沿うように移動し、コイルばね２３を縮める。
【００２６】
光ディスク保持機構１１は、コイルばね２３により付勢された可動部材２２の保持爪２２ｃを光ディスク１２の内周部１２ｄに沿わせるように上方へ移動する。そして、光ディスク１２の非情報記録領域１２ｂは、板ばね２４に固着された摩擦シート２５に当接する（図４（ａ））。
【００２７】
光ディスク保持機構１１は、板ばね２４を下方へ撓ませながらさらに上方へ移動する。これにより、可動部材２２は保持爪２２ｃが光ディスク１２の内周部１２ｄを乗り越え、「へ」字状に変形していたコイルばね２３が弾性復元力により直線状に戻ることで、外周面２２ｂが内周部１２ｄと当接する（図４（ｂ））。
【００２８】
さらに動力変換部材２０をＢ方向へスライド移動させると（図２参照）、ベース部材１５に設けられた光ディスク保持機構１１は下方へ移動する。光ディスク１２を介して上面プレート２８のディスク押圧部２８ａに押圧されていた板ばね２４は、撓みを解消する上方へ戻る。板ばね２４が撓みを解消する上方へ戻ることで、光ディスク１２は持ち上げられ、光ディスク１２の内周部１２ｄの上端は可動部材２２の保持爪２２ｃを上方へ押圧する。保持爪２２ｃの下面は斜めに傾斜していることから、光ディスク１２の上方への押圧力はガイド溝方向へと変換される。可動部材２２は、光ディスク１２の内周部１２ｄの上端によってガイド溝方向に押圧され、ガイド溝を沿うように移動し、コイルばね２３を縮める（図４（ｃ））。これにより、光ディスク１２は面内及び面外方向に保持される。
【００２９】
さらに、光ディスク保持機構１１は下方へ移動する。光ディスク１２は上面プレート２８のディスク押圧部２８ａから離れ、ディスクテーブル１３と一体となって回転することができる（図５）。すなわち、情報の記録及び再生が可能な状態となる。
【００３０】
光ディスク保持機構１１に保持された光ディスク１２を取り出すときには、先ず、光ディスク装置３６の筐体３７前面に設けられたイジェクトボタン３８を操作する（図８参照）。イジェクトボタン３８が操作されると、モータの駆動によって動力変換部材２０はＡ方向にスライド移動し（図２参照）、昇降ベース１５に設けられた光ディスク保持機構１１は一端上方に移動した後に下方へ移動する。光ディスク１２は、間もなく、非情報記録領域１２ｂの下面がクランプ解除ピン３２に当接する（図６（ａ））。
【００３１】
光ディスク１２は、クランプ解除ピン３２との当接により、これ以上下方に移動することができない。よって、光ディスク保持機構１１がさらに下方に移動すると、相対的に見ると可動部材２２は、光ディスク１２の内周部１２ｄの上端によって上方に押圧される。コイルばね２３を介してクランパベース２１のガイド溝に取り付けられた可動部材２２は、斜倒しながらガイド溝方向に押圧される。そして、可動部材２２の保持爪２２ｃを光ディスク１２の内周部１２ｄに沿わせるように、光ディスク保持機構１１は下方へ移動する（図６（ｂ））。
【００３２】
光ディスク保持機構１１は、さらに下方へ移動する。これにより、可動部材２２の保持爪２２ｃは光ディスク１２の内周部１２を乗り越え、光ディスク保持機構１１による光ディスク１２の保持が解除される（図６（ｃ））。
【００３３】
光ディスク１２の保持が解除されると、搬送ローラ３０は光ディスク１２に接する方向に移動し、そして回転する。これにより光ディスク１２は挿入口２９から排出される。
【００３４】
ところで、光ディスクの厚さは光ディスクの種類やそのメーカの違いなどにより異なる。本発明の光ディスク保持機構１１は、光ディスクの厚さが異なる場合であっても、光ディスクを保持することができる工夫がなされている。
【００３５】
光ディスクは、板ばね２４に固着した摩擦シート２５と可動部材２２の保持爪２２ｃとが非情報記録領域を挟み込むことによって、上下方向に保持される。上述したように、板ばね２４が撓むことによって発生する付勢力は、コイルばね２３が「へ」字状に撓曲することによって発生する可動部材２２に対する付勢力より十分大きくなっている。これにより、光ディスク保持機構１１で光ディスクを保持する場合、その際に一度下方へ撓んだ板ばね２４は、その付勢力によって撓みを解消し、一定の高さで光ディスクを保持することができる。
【００３６】
具体的には、図７を参照しながら、非情報記録領域の厚さがｄ１とｄ２（＞ｄ１）とで異なる２種類の光ディスク３３、３４を光ディスク保持機構１１に保持させた場合について説明する。図７（ａ）に示すように、非情報記録領域３３ｂの厚さがｄ１である光ディスク３３を光ディスク保持機構１１に保持させた場合、板ばね２４は撓みを解消して、光ディスクを保持することができる。このとき、光ディスクに対して情報の記録及び再生をする光ヘッド３５の上面と、光ディスク３３の情報記録領域３３ａの下面との距離はＨとなる。なお、光ヘッド３５は、後述する光ディスク装置３６の筐体３７内に設けられている（図８参照）。
【００３７】
一方、図７（ｂ）に示すように、非情報記録領域３４ｂの厚さがｄ２（＞ｄ１）であり、光ディスク３３と比べて厚い光ディスク３４を光ディスク保持機構１１に保持させた場合も、板ばね２４は撓みを解消して、光ディスク３４を保持することができる。このとき、光ディスク３３の非情報記録領域３３ｂと比べて非情報記録領域３４ｂが厚いため、光ディスク３４の内周部上端は可動部材２２の保持爪２２ｃを押圧する。光ディスク３４に押圧された可動部材２２は、コイルばね２３を「へ」字状に撓曲させて、上方に斜倒する。なお、このときも、光ヘッド３５の上面と、光ディスク３４の情報記録領域３４ａの下面との距離はＨであり、その距離は、光ディスク３３を保持した場合と同様である。このように、如何なる厚さの光ディスクを保持させた場合であっても、常に光ヘッド３５と、光ディスクの情報記録領域との距離を一定にすることができ、光ディスクに対する情報の記録及び再生の質に差異が生じることはない。
【００３８】
なお、上記実施形態において、チャッキング部材は、可動部材２２と一体に設けられている場合を例に説明したが、可動部材２２とは別個独立の部材としても良い。
【００３９】
また、上記実施形態において、光ディスクを案内するために、コイルばね２３が撓曲することで可動部材２２が斜倒する場合を例に説明したが、これに限定されるのではなく、可動部材２２を、上面に傾斜を付けた形状として、光ディスクを案内するのでも良い。
【００４０】
また、上記実施形態において、隙間２６を形成する下面プレート２７及び上面プレート２８は、薄い金属性の板で形成されている場合を例に説明したが、これに限定されるのではない。
【００４１】
また、上記実施形態において、光ディスク保持機構１１の上下方向への移動は、動力変換部材２０を用いた場合を例に説明したが、これに限定されるのではなく、上下方向に移動することができれば良い。
【００４２】
また、上記実施形態において、板ばね２４が撓むことによって発生する付勢力は、コイルばね２３の付勢力より大きい場合を例に説明したが、これに限定されるのではなく、コイルばね２３の付勢力よりも小さくても良い。この場合、光ディスク保持機構１１に光ディスクを保持させた際の板ばね２４の下方への撓み量は、光ディスクに厚みがある程大きくなる。
【００４３】
図８は、上記構成の光ディスク保持機構１１を組み込んだ光ディスク装置３６の外観を示す。光ディスク装置３６は、筐体３７、光ディスク保持機構１１、光ディスク１２に対して情報の記録及び再生をする光ヘッド３５、操作キー３９、及びイジェクトボタン３８を構成に含む。
【００４４】
筐体３７の内部には、下面プレート２７及び上面プレート２８によって隙間２６が形成されている（図１参照）。また、筐体３７の前面には、光ディスク１２を隙間２６に挿入するためのスロットタイプの挿入口２９が設けられている。隙間２６には、挿入口２９近傍に光ディスク１２を搬送するための搬送ローラ３０が設けられている。光ディスク１２を挿入口２９へ所定量（例えば、１〜２ｃｍ）挿入すると、搬送ローラ３０は光ディスク１２に接する方向に移動し、そして回転する。これにより、光ディスク１２は筐体３７内へと自動的に吸い込まれる。筐体３７内に吸い込まれた光ディスク１２は、上述した光ディスク保持機構１１の作用によって光ディスク保持機構１１に保持され、ディスクテーブル１３と一体となって回転することができる。
【００４５】
下面プレート２７には、光ディスク保持機構１１が出入りする開口２７ａ近傍に、径方向に延びる光ヘッド用開口２７ｂが形成されている。光ヘッド３５は、光ヘッド用開口２７ｂから光ディスク１２が挿入される隙間２６内に向けて、径方向に移動自在に設けられ、光ディスク１２への情報の記録及び再生を可能にする。
【００４６】
再生ボタン、停止ボタン、一時停止ボタン及び録音ボタンなどから構成される操作キー３９は、筐体３７の前面の挿入口２９の下方に設けられている。これらを押圧操作することによって、光ディスク保持機構１１に保持された光ディスク１２に対して情報の記録及び再生などを行うことができる。
【００４７】
また、筐体３１の前面の片隅には、イジェクトボタン３８が設けられている。イジェクトボタン３８を押圧操作すると、光ディスク保持機構１１に保持された光ディスク１２は、上述した光ディスク保持機構１１の作用によって保持が解除される。搬送ローラ３０は、光ディスク１２に接する方向に移動し、そして回転する。これにより、光ディスク１２は挿入口２９から筐体３７の外部へ排出される。
【００４８】
なお、上記実施形態において、光ディスク装置としてスロットローディング式の場合を例に説明したが、これに限定されるのではなく、光ディスク１２を手動で光ディスク保持機構１１に装着するトレー式の光ディスク装置であっても良い。
【００４９】
また、上記実施形態において、イジェクトボタン３８及び操作キー３９が筐体３７前面に設けられている場合を例に説明したが、上記の配置に限定されるのではない。
【００５０】
また、上記実施形態において、イジェクトボタン３８及び操作キー３９を押圧操作して各種操作をする場合を例に説明したが、筐体３７前面にリモコン信号受信部を設け、リモコン信号受信部が操作信号を受信することによって各種操作をすることとしても良い。
【図面の簡単な説明】
【００５１】
【図１】本発明のディスク保持機構を適用した光ディスク保持機構の上面図及びその正面からの断面図である。
【図２】光ディスク保持機構の上下方向の移動について説明する光ディスク保持機構の正面図である。
【図３】光ディスクの保持を説明する光ディスク保持機構の前方からの断面図である。
【図４】光ディスクの保持を説明する光ディスク保持機構の前方からの断面図である。
【図５】光ディスクの保持を説明する光ディスク保持機構の前方からの断面図である。
【図６】光ディスクの取り出しを説明する光ディスク保持機構の前方からの断面図である。
【図７】厚みの異なる光ディスクを保持する場合を説明する光ディスク保持機構の前方からの断面図である。
【図８】光ディスク保持機構を備える光ディスク装置の外観斜視図である。
【図９】従来の光ディスク保持機構による光ディスクの保持を説明する光ディスク保持機構の前方からの断面図である。
【図１０】従来の光ディスク保持機構の前方からの断面図である。
【符号の説明】
【００５２】
１１  光ディスク保持機構
１２、３３、３４  光ディスク
１２ａ、３３ａ、３４ａ  情報記録領域
１２ｂ、３３ｂ、３４ｂ  非情報記録領域
１２ｃ  装着孔
１２ｄ  内周部
１３  ディスクテーブル
１４  クランパトップ
１５  昇降ベース
１５ａ  案内孔
１６  回転軸
１７  ステータ
１８  マグネット
１９  モータ
２０  動力変換部材
２０ａ  スライド溝
２１  クランパベース
２２  可動部材
２２ａ  突起
２２ｂ  外周面
２２ｃ  保持爪
２３  コイルばね
２４  板ばね
２５  摩擦シート
２６  隙間
２７  下面プレート
２７ａ  開口
２７ｂ  光ヘッド用開口
２８  上面プレート
２８ａ  ディスク押圧部
２８ｂ  開口
２９  挿入口
３０  搬送ローラ
３１  ピン
３２  クランプ解除ピン
３５  光ヘッド
３６  光ディスク装置
３７  筐体
３８  イジェクトボタン
３９  操作キー
【図１】
2007250077.tif 000003
【図２】
2007250077.tif 000004
【図３】
2007250077.tif 000005
【図４】
2007250077.tif 000006
【図５】
2007250077.tif 000007
【図６】
2007250077.tif 000008
【図７】
2007250077.tif 000009
【図８】
2007250077.tif 000010
【図９】
2007250077.tif 000011
【図１０】
2007250077.tif 000012